(57)【要約】      （修正有）【課題】消臭効果や、各種ウイルスや花粉を除去して滅菌効果に優れる木炭パウダー入りマスクを提供する。【解決手段】不織布又はガーゼからなるマスク本体１内に、木炭パウダーを含んだ綿繊維又は不織布３からなるシート素材４を収納してなることを特徴とする。さらにマスク本体の表裏面の少なくとも一方に、二酸化チタン粉末を含んだバインダー層５を形成し、マスク本体に折り返し部６を形成することを特徴とする。【選択図】図３
0003117753.tif 000002
【実用新案登録請求の範囲】
【請求項１】
不織布又はガーゼからなるマスク本体内に、木炭パウダーを含んだ綿繊維からなるシート素材を収納してなることを特徴とする木炭パウダー入りマスク。
【請求項２】
不織布又はガーゼからなるマスク本体内に、木炭パウダーを含んだ不織布からなるシート素材を収納してなることを特徴とする木炭パウダー入りマスク。
【請求項３】
マスク本体の表裏面の少なくとも一方に、二酸化チタン粉末を含んだバインダー層を形成したことを特徴とする請求項１又は２記載の木炭パウダー入りマスク。
【請求項４】
マスク本体に折り返し部を形成してある請求項１乃至３の何れかに記載の木炭パウダー入りマスク。
【考案の詳細な説明】
【技術分野】
【０００１】
本考案は、消臭効果、滅菌効果に優れた木炭パウダー入りマスクに関するものである。
【背景技術】
【０００２】
従来、ガーゼマスク、不織布マスクとして各種のものが提案されているが、マスクの内部に木炭パウダーを入れて消臭効果や、滅菌効果を向上させたマスクの出現が望まれていた。
【０００３】
【特許文献１】特開２００５−２７９２２６号公報
【考案の開示】
【考案が解決しようとする課題】
【０００４】
上記特許文献１に記載されたマスクは、アルコール液を繊維活性炭シートに吸着させ、さらに樹木消臭液を繊維活性炭シートに吸着させ、これらを袋型ガーゼマスクに重ね合わせて挿入するものであるが、そのマスクには木炭パウダーが混入されていないため、木炭パウダーが有する消臭効果や、滅菌効果が発揮されず、さらには二酸化チタン粉末を含んだバインダー層（いわゆる光触媒）を備えることもなかったので、滅菌効果が不十分となる弊害があった。
【０００５】
本考案は、上記の全ての問題点を解消して、消臭効果や、滅菌効果に優れる木炭パウダー入りマスクを提供せんとするものである。
【課題を解決するための手段】
【０００６】
上記目的を達成するために、請求項１記載の考案は、不織布又はガーゼからなるマスク本体内に、木炭パウダーを含んだ綿繊維からなるシート素材を収納してなることを特徴とする木炭パウダー入りマスクである。
【０００７】
請求項２記載の考案は、不織布又はガーゼからなるマスク本体内に、木炭パウダーを含んだ不織布からなるシート素材を収納してなることを特徴とする木炭パウダー入りマスクである。
【０００８】
請求項３記載の考案は、マスク本体の表裏面の少なくとも一方に、二酸化チタン粉末を含んだバインダー層を形成したことを特徴とする請求項１又は２記載の木炭パウダー入りマスクである。
【０００９】
請求項４記載の考案は、マスク本体に折り返し部を形成してある請求項１乃至３の何れかに記載の木炭パウダー入りマスクである。
【考案の効果】
【００１０】
以上述べたように、請求項１及び２の木炭パウダー入りマスクによれば、木炭パウダーの消臭機能、滅菌機能が発揮され、ＳＡＲＳ，鳥インフルエンザ等の病原菌コロナウイルス、その他のウイルス、花粉等の除去、滅菌の効果がある。
【００１１】
また請求項３の木炭パウダー入りマスクによれば、マスク本体の表裏面の少なくとも一方に、二酸化チタン粉末を含んだバインダー層を形成しているので、このバインダー層の存在でさらに効果的な消臭効果、滅菌効果が達成される。
【００１２】
ついで請求項４の木炭パウダー入りマスクによれば、マスク本体に折り返し部を形成したので、使用時にこの折り返し部を展開して広げることでマスクを立体的な形態に変形させることができ、マスクの使用性が向上するという効果がある。
【考案を実施するための最良の形態】
【００１３】
以下添付図面に基づいて、本考案に係る木炭パウダー入りマスクの実施例を詳説する。
図１は本考案の木炭パウダー入りマスクの正面図、図２は同斜視図、図３は図１におけるＡ−Ａ線断面図、図４は木炭パウダーを含んだシート素材の縦断面図、図５は同シート素材にバインダー層を形成した状態の縦断面図である。
【実施例１】
【００１４】
本考案の木炭パウダー入りマスクは、マスク本体１とゴム又は紐等からなる係止具２で構成され、この係止具２は耳にかけられるようにマスク本体１の左右に一対取り付けられている。
【００１５】
マスク本体１は、通常は不織布３又はガーゼを積層して形成され、そのマスク本体１の中には、シート素材４が外部に飛び出さない状態で収納されている。
【００１６】
このシート素材４は、一般的に不織布や綿繊維で形成されるが、そのシート素材４には木炭パウダーがスプレー方式や浸漬方式にて含浸され、ここで木炭パウダーとしてはヒノキ炭を原料とした場合には、活性酸素などに効果のあるヒノキチオールが大量に含有されているため、効果的な木炭パウダー入りマスクが得られる。
【００１７】
シート素材４に含まれる木炭パウダーは、パウダー表面に微小穴が無数に存在し、その微小穴の内壁中には、さらに別の微小穴が多数存在している。このため、これらの全ての微小穴が縦横無尽に繋がっている多孔質の素材となり、木炭パウダーは外気に触れる微小穴の表面積が著しく大きくなる。
このように、木炭パウダーは外気に触れる表面積が飛躍的に大きくなるので、臭気及び湿気を確実に消すと同時に滅菌効果もある。
【００１８】
木炭パウダー入りマスクを使用することで、木炭パウダーで臭気を好適に消し、さらに木炭パウダーの機能によりマスクを通じて流入するウイルスを駆除し、花粉を捕捉して、マスク使用者の健康増進に大きく寄与する。
【００１９】
ここで具体的数字で説明すると、シート素材４の面積１００センチメートル当り、０．１〜２０グラム程度の木炭パウダーを混入させることが好ましい。
【実施例２】
【００２０】
ついで、図５に示した実施例２について説明すると、実施例１におけるシート素材４あるいはマスク本体１の表裏面の少なくとも一方に、二酸化チタン粉末を含んだバインダー層５（通常は光触媒と称される）スプレー方式又は浸漬方式にて形成すると、このバインダー層５の機能により消臭、滅菌効果は一層向上する。
すなわち二酸化チタンの光触媒の特徴のひとつは、光による強い酸化力であり、酸素が光触媒によって活性化され、反応性の高い活性酸素となり、この活性酸素の作用により消臭、滅菌効果が確保されることとなる。
【００２１】
上記のバインダー層５は、シート素材４の片面はもちろん、両面に形成することも可能であり、さらにはマスク本体の１の片面あるいは両面に形成しても良いことはもちろんである。
【００２２】
またマスク本体１の表面に折り返し部６を形成しておくと、この折り返し部６を必要に応じて随時展開して広げることにより、マスクを立体的な形態にすることが可能となり、その結果使用者の鼻部などの顔の凹凸に従ってマスク本体１がなじみやすくなり、マスクと顔のフィット感が高まり使用性が向上する。
【産業上の利用可能性】
【００２３】
本考案の木炭パウダー入りマスクは、病院、食品産業、養鶏場、各種工場の業界、さらには一般家庭内において、特に利用することが可能である。
【図面の簡単な説明】
【００２４】
【図１】本考案の木炭パウダー入りマスクの正面図である。
【図２】同斜視図である。
【図３】図１におけるＡ−Ａ線断面図である。
【図４】木炭パウダーを含んだシート素材の縦断面図である。
【図５】同シート素材にバインダー層を形成した状態の縦断面図である。
【符号の説明】
【００２５】
１…マスク本体
２…係止具
３…マスク本体の不織布
４…シート素材
５…二酸化チタン粉末を含んだバインダー層
６…マスク本体の折り返し部
【図１】
0003117753.tif 000003
【図２】
0003117753.tif 000004
【図３】
0003117753.tif 000005
【図４】
0003117753.tif 000006
【図５】
0003117753.tif 000007